(57)【要約】【課題】  実使用面での機能向上に対応可能な対面キッチン用カウンターを提供すること。【解決手段】  台所空間とダイニングルーム等の隣接部屋空間との間に設けられる対面キッチン用カウンターである。隣接部屋側に向けて延出されたカウンター天板２の延出部４を別体とし、同延出部４を昇降自在となるよう上下駆動軸５を介して支持させて成る。これにより、カウンター天板２の一部であって上下駆動軸５を介して支持されて隣接部屋側に向けて延出された延出部４が、当該上下駆動軸５にて昇降される。【選択図】図１
2005304874.tif 000002
【特許請求の範囲】
【請求項１】
台所空間とダイニングルーム等の隣接部屋空間との間に設けられる対面キッチン用カウンターであって、
隣接部屋側に向けて延出されたカウンター天板の延出部を別体とし、同延出部を昇降自在となるよう上下駆動軸を介して支持させて成る対面キッチン用カウンター。
【請求項２】
台所空間とダイニングルーム等の隣接部屋空間との間に設けられる対面キッチン用カウンターであって、
隣接部屋側に向けて延出されたカウンター天板下方に平板を設け、同平板を昇降自在となるよう上下駆動軸を介して支持させて棚板若しくは足置きに兼用可能とさせて成る対面キッチン用カウンター。
【請求項３】
前記上下駆動軸を駆動させるモータ等の駆動装置を、カウンター本体に併設されるキッチンボード等の什器に内蔵させて成ることを特徴とする請求項１または請求項２いずれかに記載の対面キッチン用カウンター。
【発明の詳細な説明】
【技術分野】
【０００１】
本発明は、台所空間とダイニングルーム等の隣接部屋空間との間に設けられる対面キッチン用カウンターに関する。
【背景技術】
【０００２】
近年、台所空間と、その台所空間に隣接するリビング／ダイニング／リビング・ダイニングルーム等の隣接部屋空間との間において、開放感の向上等を図ることのできる対面キッチンが採用されてきている。この対面キッチンにおいては、対面キッチン用カウンターにて両空間を仕切るようになっており、通常の生活空間として開放感が得られ、さらに、来客時において隣接する部屋から台所空間が見えることから、一般にキッチン使用時以外の生活シーンに合わせる機能的な配慮も要望されている。
【０００３】
そのため、本出願人は、任意に使用・収納が可能で、台所空間と隣接部屋空間との間を必要なときに一時的に仕切って、視界や水はねを容易に且つ確実に遮ることができ、開放感もより向上できる対面式カウンターキッチン用可動仕切り構造として、特開２００３−２７５０４５公報に開示されている、図３に示すような、対面式カウンターキッチン用可動仕切り構造を提案している。
【０００４】
この構造は、台所側壁１０４からカウンター方向へ延びた壁部１０３内に仕切り部材１０２を出し入れ自在に格納し、同図（ｂ）に示すように、当該仕切り部材１０２を使用時には壁部１０３の側面開口からカウンター１０１上へ引き出し、収納時には壁部１０３内へ戻すようにしている。これにより、カウンター１０１の端から端まで延びた吊り戸棚は不要であり、通常の壁部１０３のみで仕切り部材１０２の配置が可能で、後は仕切り部材１０２を出し入れするだけで必要なときにカウンター１０１の端から端まで仕切ることができ、容易に且つ確実に一時的な目隠しや水はね防止を行うことができるという効果を奏している。
【０００５】
しかしながらこの構成は、例えばカウンター高さを使用者の身長や生活に合わせて適合させること等、対面キッチン用カウンターとしての実使用面での機能向上には十分な対応をしていないため、使い勝手の面での改善要望があった。
【特許文献１】特開２００３−２７５０４５公報
【発明の開示】
【発明が解決しようとする課題】
【０００６】
本願発明は、上記背景技術に鑑みてなされたものであり、その課題は、実使用面での機能向上に対応可能な対面キッチン用カウンターを提供することである。
【課題を解決するための手段】
【０００７】
上記課題を解決するために、本願発明による対面キッチン用カウンターは、台所空間とダイニングルーム等の隣接部屋空間との間に設けられる対面キッチン用カウンターであって、隣接部屋側に向けて延出されたカウンター天板の延出部を別体とし、同延出部を昇降自在となるよう上下駆動軸を介して支持させて成る。
【０００８】
また、隣接部屋側に向けて延出されたカウンター天板下方に平板を設け、同平板を昇降自在となるよう上下駆動軸を介して支持させて棚板若しくは足置きに兼用可能とさせて成る。
【０００９】
そして、前記上下駆動軸を駆動させるモータ等の駆動装置を、カウンター本体に併設されるキッチンボード等の什器に内蔵させるのが好ましい。
【発明の効果】
【００１０】
カウンター天板の一部であって上下駆動軸を介して支持されて隣接部屋側に向けて延出された延出部が、当該上下駆動軸にて昇降されるので、台所とダイニングルーム等の隣接部屋間での居住者相互間の会話等の意思疎通おいての使い勝手が向上し、実使用面での機能向上に対応できる。
【００１１】
また、隣接部屋側に向けて延出されたカウンター天板下方にあって上下駆動軸を介して支持されて隣接部屋側設けられた平板が、当該上下駆動軸にて昇降されて棚板若しくは足置きとして使用されるので、ダイニングルーム等の隣接部屋での居住者による片付けやカウンター使用条件などの、実使用面での機能向上に対応できる。
【００１２】
そして、カウンター本体に併設されるキッチンボード等の什器に内蔵されたモータ等の駆動装置を介してカウンター天板の延出部や平板が上下駆動されるようになるので、カウンター本体を有効に利用できて使用効率を低下させることが無いものとなる。
【発明を実施するための最良の形態】
【００１３】
本発明の上記および他の効果、特徴および利点を明確にすべく、添付した図面を参照しながら、本発明の実施の形態を以下に詳述する。 図１を参照すると、本発明の一実施例としての対面キッチン用カウンターの概略を表した斜視図が示されている。図２には、本発明の別の実施例としての対面キッチン用カウンターの概略を表した斜視図が示されている。
【００１４】
この実施形態の対面キッチン用カウンター１は、台所空間とダイニングルーム等の隣接部屋空間との間に設けられる対面キッチン用カウンターであって、隣接部屋側に向けて延出されたカウンター天板２の延出部４を別体とし、同延出部４を昇降自在となるよう上下駆動軸５を介して支持させて成る。
【００１５】
また、この場合、前記上下駆動軸５を駆動させるモータ等の駆動装置を、カウンター本体に併設されるキッチンボード９等の什器に内蔵させて成るようにしてもいる。
【００１６】
詳しくは、この対面キッチン用カウンター１は、対面部のカウンターを昇降させることで生活シーンに合わせて使用できるようにしたものであり、カウンター天板２の台所側の天板本体３には、水はねあるいは油はねの拡散を簡易的に防止したり、あるいは視界を遮ることのできる透光板６の手前側に、シンク７やガスコンロなどの調理機器８が設けられるようになっており、また、このカウンター本体の隣接部屋側には後述するキッチンボード９が併設されるようになっている。
【００１７】
延出部４は、カウンター天板２の天板本体３の隣接部屋側部分を切り離して別体とした長尺状の板材であり、天板本体３と同種類の材料にて形成され、後述する上下駆動軸５にて両端が支持されており、この延出部４を昇降させるようになっている。
【００１８】
上下駆動軸５は、後述するキッチンボード９に内蔵されたモータ等の駆動装置を介して上記延出部４を上下駆動可能とするためのもので、金属材料、合成樹脂材料にて、例えば当該駆動装置のモータ減速ユニットに設けられた回転軸にて回転可能となるよう台形ねじを有して長尺状に形成され、上記延出部４の両端に配設されている。
【００１９】
キッチンボード９は、台所側にレンジフード９１、及び隣接部屋側には適宜カップボード９２を有して形成され、上記上下駆動軸５を駆動させるモータ等の駆動装置が同カップボード９２内部に配設されて、隣接部屋側の上記延出部４と並列位置に配置される。これにより、対面キッチン用カウンター１のカウンター本体を有効に利用できて使用効率を低下させることも無い。なお、当該駆動装置を操作し、対面部のカウンターとなる延出部４を昇降させる操作スイッチ（図示せず）は、上記レンジフード９１の操作スイッチとともに操作し易い位置に併設することが好ましい。
【００２０】
かかる対面キッチン用カウンター１によると、上記操作スイッチを操作することにて、カウンター天板２の一部であって、上下駆動軸５を介して支持されて隣接部屋側に向けて延出された延出部４が上下駆動軸５にて昇降され、カウンター天板２上面とは異なる高さに設定可能となり、延出部４を家族の構成員それぞれの身長に合わせて高さ変更でき、調理や炊事、軽食などの一時的な食事において使い勝手が良く、あるいは隣接部屋に設けられたダイニングテーブルや椅子などの高さに合わせて変更できて、家族での団欒等の各生活シーンに対応させて使用することができるのである。
【００２１】
したがって、以上説明した対面キッチン用カウンター１によると、カウンター天板２の一部であって上下駆動軸５を介して支持されて隣接部屋側に向けて延出された延出部４が、当該上下駆動軸５にて昇降されるので、台所とダイニングルーム等の隣接部屋間での居住者相互間の会話等の意思疎通おいての使い勝手が向上し、実使用面での機能向上に対応できる。
【００２２】
そして、カウンター本体に併設されるキッチンボード９等の什器に内蔵されたモータ等の駆動装置を介してカウンター天板２の延出部４が上下駆動されるようになるので、カウンター本体を有効に利用できて使用効率を低下させることが無いものとなる。
【００２３】
次に、図２に示す、別の実施形態の対面キッチン用カウンター１について説明する。上記実施形態では、本発明の上下駆動軸５をカウンター天板２の延出部４に適応したが、当該上下駆動軸５はカウンター天板２下方の棚板となりうる平板１０についても適応することができる。
【００２４】
具体的には、この実施形態の対面キッチン用カウンター１は、隣接部屋側に向けて延出されたカウンター天板２下方に平板１０を設け、同平板１０を昇降自在となるよう上下駆動軸５を介して支持させて棚板若しくは足置きに兼用可能とさせて成る。なお、この場合も、上下駆動軸５を駆動させるモータ等の駆動装置を、カウンター本体に併設されるキッチンボード９等の什器に内蔵させており、また、平板１０を昇降させる操作スイッチ（図示せず）は、キッチンボード９の設けられているレンジフード９１の操作スイッチとともに操作し易い位置に併設してある。
【００２５】
上記構成とすることにて、隣接部屋側に向けて延出されたカウンター天板２下方にあって上下駆動軸５を介して支持されて隣接部屋側設けられた平板１０が、当該上下駆動軸５にて昇降されて、図２（ａ）に示す如く棚板若しくは、同図（ｂ）に示す如く足置きとして使用されることとなり、例えば足置きとしない使用環境にあってダイニングルーム等の隣接部屋での居住者による片付けのための棚として平板１０を利用できるのである。
【００２６】
したがって、以上説明した対面キッチン用カウンター１によると、隣接部屋側に向けて延出されたカウンター天板２下方にあって上下駆動軸５を介して支持されて隣接部屋側設けられた平板１０が、当該上下駆動軸５にて昇降されて棚板若しくは足置きとして使用されるので、ダイニングルーム等の隣接部屋での居住者による片付けやカウンター使用条件などの実使用面での機能向上に対応できる。
【００２７】
なお、本発明は上記各実施例に限定されず、本発明の技術思想の範囲内において、各実施例は適宜変更され得ることは明らかである。
【図面の簡単な説明】
【００２８】
【図１】本願発明の一実施形態である対面キッチン用カウンターの概略構成を示す斜視図。
【図２】本願発明の別の実施形態である対面キッチン用カウンターの概略構成と作用を示した斜視図で、（ａ）は棚板としての使用状態、（ｂ）は足置きとしての使用状態を示す。
【図３】従来例の対面キッチン用カウンターを示す説明図。
【符号の説明】
【００２９】
１      対面キッチン用カウンター
２      カウンター天板
３      天板本体
４      延出部
５      上下駆動軸
９      キッチンボード
１０      平板
【図１】
2005304874.tif 000003
【図２】
2005304874.tif 000004
【図３】
2005304874.tif 000005